(57)【要約】【課題】祈願者の具体的な祈願の内容に対応する事ができて、この祈願者に、より大きな御利益を感じさせる事ができる構造を実現する。【解決手段】  御守袋２ａの下端部に設けた札用開口部１０を通じて、この御守袋２ａの内部空間と外部空間との間の往き来が可能な御守札３ａを設ける。又、この御守札３ａを構成する祈願表示部材１４に、祈願者の具体的な祈願の内容、或は、この祈願に関する情報を記載する。【選択図】図２
0003173377.tif 000002
【実用新案登録請求の範囲】
【請求項１】
御守袋と、御守札と、装飾紐とを備えており、
このうちの御守袋は、前記御守札を収納可能な内部空間を有し、この御守袋の一端に紐用開口部が設けられており、この御守袋の他端に前記御守札がこの内部空間とこの御守袋の外部空間との間を往き来できる大きさを有する札用開口部が設けられており、
前記御守札は、その一部に祈願又はこの祈願に関する情報を表示する表示部が設けられており、
前記装飾紐は、その一端が前記御守札の一部に結合されており、その中間部が前記御守り袋の紐用開口部に挿通された状態で、その他端が前記御守り袋の外部空間側に配置されている事を特徴とする御守り。
【請求項２】
前記御守札が、ケース部材と、このケース部材の内部に配置された表示部材とから成る、請求項１に記載した御守り。
【請求項３】
前記御守袋の紐用開口部に、前記装飾紐がこの御守袋から抜け落ちる事の防止を図る、抜け落ち防止部が設けられている、請求項１〜２のうちの何れか１項に記載した御守り。
【請求項４】
前記装飾紐のうちの、前記御守袋の外部空間側に配置された部分に、この御守袋の紐用通孔を通過不可能な大きさを有する滑り止め部材が設けられている、請求項１〜３のうちの何れか１項に記載した御守り。
【考案の詳細な説明】
【技術分野】
【０００１】
この考案は、神社・仏閣で祈願する人（祈願者）を対象として授与される御守りの改良に関する。具体的には、祈願者の具体的な祈願に対応する事ができて、この祈願者がより大きな御利益を感じる事ができる御守りを実現する事を目的としている。
【背景技術】
【０００２】
神社・仏閣では、例えば特許文献１〜４に記載された様な御守りが、授与されている。図５〜６は、特許文献１に記載された御守り１の構造を示している。この御守り１は、御守袋２と、御守札３（内符）と、装飾紐４とから成る。
このうちの御守袋２は、絹、綿、合成繊維等の布から成る袋状であり、一端（図５〜６の上端）に開口部５を有する。又、この御守袋２の幅方向（図５の左右方向）中央部の上端寄り部分（図５の上側）に、この御守袋２の一側面（図５の表側面、図６の左側面）から他側面（図５の裏側面、図６の右側面）に貫通する状態で通孔（図示省略）が形成されている。又、この御守り１の一側面には、前記祈願者の祈願の内容（図５の場合、厄除け）が、刺繍等で表示されている。一方、図示は省略するが、前記御守り１の他側面には、神社・仏閣の名称等が刺繍等で表示されている。
【０００３】
又、前記御守札３は、紙、木、布、合成樹脂、金属等から成る板状部材であり、前記御守袋２の内側に収納されている。この様な御守札３は、神前或は仏前に供えて清めたり、祈祷する等して、前記祈願者の祈願の内容が込められている。
更に、前記装飾紐４は、１本の紐の中間部に、所謂二重叶結び等で結んだ装飾部６を設けている。又、この紐の両端部同士を結んで、この装飾部６からこれら両端部に掛けて環状部７を設けている。そして、この装飾部６を、前記御守袋２の通孔の一側面側に配置させた状態で、この環状部７の基端部（装飾部６寄り部分）を、この通孔に挿通して、前記御守袋２の開口部５を塞いでいる。
【０００４】
上述した様な御守り１に、前記祈願者が祈願する内容は多種であり、大きく分けても、「健康、家内安全、交通安全」、「恋愛、良縁」、「金運、商売」、「仕事、厄除け、学業」等に分けられる。
ところで、前記祈願者の祈願の内容は、大きく分ければ上述した何れかの祈願の内容に属するとしても、前記祈願者は、それぞれが更に具体的な祈願の内容を有しているものである。この様な祈願者が、この具体的な祈願に対して、大きな御利益を感じる為には、この祈願の内容、或はこの祈願に関する情報を具体的に示して祈願する事が重要である。例えば、前記祈願者の祈願の内容が、志望大学受験の合格である場合には、「大学名」、「氏名」、「受験日」等を具体的に示して祈願する方が、より大きな御利益を感じ、自身のモチベーションを高め、目的達成の為の努力をする事ができる。但し、前述した様な従来から知られている御守り１の構造の場合、前述した様に大きく分けた祈願の内容が、前記御守袋２の一側面に刺繍等で表示されているのみであり、前記祈願者の具体的な祈願の内容にまで対応できる構造ではない。
【０００５】
又、前記祈願者は、授与された御守りを身近な場所に置き、この御守りに触れて、御利益を感じる等の行為を行う。この際、前記祈願者の祈願が最も込められている前記御守札３に直接触れたり、見る事ができれば、より多くの御利益を感じる事ができる。但し、前述した様な従来から知られている御守り１の場合、前記御守札３は、前記御守袋２の内側に収納されており、この御守袋２の開口部４は、前記装飾紐４により塞がれている。この為、前記祈願者は、前記御守札３に直接触れて、御利益を感じる事は困難である。
【先行技術文献】
【特許文献】
【０００６】
【特許文献１】実用新案登録第３０３２９４４号公報
【特許文献２】実用新案登録第３０５７１４６号公報
【特許文献３】実用新案登録第３０９５５８０号公報
【特許文献４】実用新案登録第３１０７８４８号公報
【考案の概要】
【考案が解決しようとする課題】
【０００７】
本考案は、上述の様な事情に鑑みて、祈願者の具体的な祈願の内容に対応する事ができて、この祈願者により大きな御利益を感じさせる事ができる構造を実現すべく考案したものである。
【課題を解決するための手段】
【０００８】
本考案の御守りは、御守袋と、御守札と、装飾紐とを備えている。
このうちの御守袋は、この御守札を収納可能な内部空間を有し、この御守袋の一端に紐用開口部が設けられており、この御守袋の他端に、前記御守札がこの内部空間とこの御守袋の外部空間との間を往き来できる（御守袋から御守札を出し入れできる）大きさを有する、札用開口部が設けられている。
又、前記御守札は、その一部に祈願又はこの祈願に関する情報を表示する表示部が設けられている。
又、前記装飾紐は、その一端が前記御守札の一部に結合されており、その中間部が前記御守り袋の紐用開口部に挿通された状態で、その他端が前記御守り袋の外部空間側に配置されている。
【０００９】
又、この様な本考案の御守りを実施する場合に例えば、請求項２に記載した考案の様に、前記御守札を、ケース部材と、このケース部材の内部に配置された表示部材とで構成する。
又、前述した様な本考案の御守りを実施する場合に好ましくは、請求項３に記載した考案の様に、前記御守袋の紐用開口部に、前記装飾紐がこの御守袋から抜け落ちる事の防止を図る、抜け落ち防止部を設ける。
又、前述した様な本考案の御守りを実施する場合に好ましくは、請求項４に記載した考案の様に、前記装飾紐のうちの、前記御守袋の外部空間側に配置された部分に、この御守袋の紐用通孔を通過不可能な大きさを有する滑り止め部材を設ける。
【考案の効果】
【００１０】
本考案の御守りによれば、祈願者の具体的な祈願の内容に対応できて、この祈願者に、より大きな御利益を感じさせる事ができる。
即ち、本考案の御守りの場合、御守札の表示部に、前記祈願者の具体的な祈願の内容、或は、この祈願に関する情報を記載する事ができる。この為、この御守札を、神前或は仏前に供えて清めたり、祈祷する際、前記祈願者の具体的な祈願の内容を、前記御守札に込める事ができる。その結果、祈願者はより大きな御利益を感じる事ができる。
又、前記御守札は、札用開口部を通じて御守袋の内部空間と外部空間との間の往き来（御守袋からの出し入れ）が可能である。この為、前記祈願者は、最も祈願が込められた前記御守札に直接触れたり、見たりする事ができる。その結果、前記祈願者は、より大きな御利益を感じ、自身のモチベーションを高め、目的達成の為の努力をする事ができる。
【図面の簡単な説明】
【００１１】
【図１】本考案の実施の形態の１例を示す、御守札が御守袋の内部空間に存在する状態を示す斜視図。
【図２】同じく、御守札が御守袋の外部空間に存在する状態を示す斜視図。
【図３】同じく、御守札のみを取り出して示す分解斜視図であって、ケース本体を示す（ａ）、祈願表示部材の一側面を示す（ｂ）、同じく他側面を示す（ｃ）、蓋部材を示す（ｄ）。
【図４】縫い合わせた袋素材の端部を折り返す状態を説明する為の部分斜視図。
【図５】従来から知られている御守りの構造を示す正面図。
【図６】一部を省略して示す、図５のａ-ａ断面図。
【考案を実施するための形態】
【００１２】
図１〜４は、総ての請求項に対応する、本考案の実施の形態の１例を示している。本考案の御守り１ａは、前述した従来構造の御守り１と同様に、御守袋２ａと、御守札３ａと、装飾紐４ａとを備える。
このうちの御守袋２ａは、絹、綿、合成繊維等の布製の１対の長方形状の袋素材８ａ、８ｂを対向させた状態で、これら両袋素材８ａ、８ｂの幅方向（図１、２の左右方向）両端辺同士を縫い合わせている。一方、これら両袋素材８ａ、８ｂの上辺及び下辺同士は、縫い合わせていない。これら両袋素材８ａ、８ｂは、図４に示す様に筒状に縫い合わせた状態から、上端部幅方向両隅の三角状部分を、図４の鎖線α、α線から下方及び幅方向内側に向け、図４に矢印β、βで示す様に１８０度折り返して、前記御守袋２ａ全体の形状を六角形状としている。
【００１３】
この様に六角形状とした状態で、前記両袋素材８ａ、８ｂの上辺の幅方向中央寄り部分同士の間に、前記御守袋２ａの上方（図１、２の上方）に開口し、この御守袋２ａの内部空間と外部空間とを連通する、紐用開口部９を設けている。尚、この紐用開口部９は、前記装飾紐４ａを挿通させる事はできるが、前記御守札３ａを通過させる事はできない程度の大きさを有している。
一方、前記両袋素材８ａ、８ｂの下辺同士の間に、前記御守袋２ａの下方（図１、２の下方）に開口し、この御守袋２ａの内部空間と外部空間とを連通する、札用開口部１０を設けている。尚、この札用開口部１０は、前記御守札３ａを通過させる事が可能な程度の大きさを有している。
【００１４】
又、前記御守袋２ａの幅方向中間部の上端寄り部分には、この御守袋２ａの一側面（図１、２の表側面）から他側面（図１、２の裏側面）に貫通し、幅方向に隔離した、前記両袋素材８ａ、８ｂ毎に１対ずつの小通孔２２、２２（図４参照）を設けている。
又、前記御守袋２ａの一側面、又は他側面には、神社・仏閣の名称、大きく分けた祈願の種類｛例えば、「学業祈願」等｝、「御守」の文字等を刺繍等で記載している。
【００１５】
又、前記御守袋２ａの一側面の、前記両通孔と整合する位置に、紐飾り１１を設けている。この紐飾り１１は、装飾部１２と、１対の固定用紐部（図示省略）とから成る。このうちの装飾部１２は、一本の紐の中間部を、二重叶結び等で結んで構成している。又、前記両固定用紐部は、前記紐のうちの前記装飾部１２が形成された部分以外の部分、即ち、この紐の両端部で構成している。
この様な紐飾り１１は、前記装飾部１２を、前記御守袋２ａの上端部の一側面側に配置した状態で、前記両固定用紐部を、それぞれ前記各小通孔２２、２２に挿通し、前記御守袋２ａの他側面側でこれら両固定用紐部の先端同士を結んで、この御守袋２ａに固定している。本例の場合、これら両固定用紐部が、実用新案登録請求の範囲に記載した抜け落ち防止部に相当する。
【００１６】
又、前記御守札３ａは、ケース１３と、祈願表示部材１４とを備えている。
このうちのケース１３は、アクリル樹脂等の透明な合成樹脂により造られたもので、ケース本体１５と蓋部材１６とから成る。
このうちのケース本体１５は、直方体状であり、その一側面に、前記祈願表示部材１４を収納可能な凹部１７が設けられている。この凹部１７の開口部の面積は、奥側部分の面積よりも僅かに狭くなっている。又、前記ケース本体１５の上端面の幅方向中央寄り部分に、この上端面から突出した状態で、取付部１８が設けられている。
又、前記蓋部材１６は、平板状であり、前記凹部１７内に前記祈願表示部材１４を配置した状態で、この凹部１７に隙間なく内嵌可能な大きさを有する。又、前記蓋部材１６の面積は、この凹部１７の開口部の面積よりも僅かに広くして、この蓋部材１６を、この凹部１７に内嵌した状態から、この蓋部材１６と前記ケース本体１５とが分離しない様にしている。
【００１７】
又、前記祈願表示部材１４は、例えば、紙、木、布、合成樹脂、金属等から成る板状部材であり、前記ケース本体１５の凹部１７の内側に配置可能な大きさを有する。又、前記祈願表示部材１４の両側面（図２の表裏方向側面）には、祈願者の具体的な祈願の内容、或は、祈願に関する情報等が記載されている。この様な祈願の内容は、例えば、図３の（ｂ）に示す様に、「○○大学  合格祈願」等である。又、前記祈願に関する情報とは、例えば、図３（ｃ）に示す様に、「入試日：○月○日」、「氏名：○○  太郎」等である。この他、前記祈願表示部材１４には、例えば、絵、写真等、祈願者が希望する各種事項を記載する事ができる。
【００１８】
尚、前記祈願表示部材１４に表示する方法は、手書き、印刷、彫刻等の各種方法を採用する事ができる。表示方法として、印刷を採用する場合には、例えば、パソコン等で、デジタルカメラ等で撮影した画像（建物、風景、顔等）と、文字とを組み合わせた画像を作成して、この画像をプリンタ等により前記祈願表示部材１４に印刷する事もできる。
【００１９】
又、前記装飾紐４ａは、装飾部１９と、環状部２０とから成る。このうちの装飾部１９は、一本の紐の両端寄り部分を、二重叶結び等で互いに結び合わせる様にして構成している。又、前記環状部２０は、前記紐の中間部のうちの前記装飾部１９が設けられた部分以外の部分で構成している。
【００２０】
この様な装飾紐４ａは、前記装飾部１９を、前記ケース本体１５の取付部１８の一側面側（図１、２の表側）に配置した状態で、前記環状部２０の基端寄り部分（前記装飾部１９寄り部分）を、前記取付部１８の通孔２３に挿通して、前記ケース本体１５に組み付けている。又、前記装飾紐４ａの中間部を前記御守袋２ａの紐用開口部９に挿通した状態で、この中間部から先端部（図１、２の上端部）に掛けた部分を前記御守袋２ａの外部空間側に配置している。又、この様な状態で、前記装飾紐４ａの環状部２０の内側に、前記紐飾り１１の両固定用紐部を配置している。この様にして、前記装飾紐４ａが、前記御守袋２ａから抜け落ちる事の防止を図っている。
【００２１】
又、前記装飾紐４ａの環状部２０のうちの、前記御守袋２ａの紐用開口部９寄り部分には、滑り止め部材２１を設けている。この滑り止め部材２１は、例えば、球状の部材に、この部材を貫通する貫通孔を設けた如き構造を有する。又、この貫通孔に前記装飾紐４ａの環状部２０を挿通した状態で、この貫通孔の内周面とこの環状部２０との間に、前記祈願者が意図しない状況で滑らない程度の摩擦力を作用させている。この様にして、前記装飾紐４ａのうちの前記御守袋２ａの外部空間側に存在する部分の長さが、祈願者が意図した長さからずれる事の防止を図っている。
【００２２】
尚、前記滑り止め部材２１は、前記御守袋２ａの紐用開口部９を通過できない程度の大きさとしている。又、前記滑り止め部材２１は、上述した構造に限定されない。要するに、この滑り止め部材２１と前記装飾紐４ａとの間に、祈願者が意図しない状況で滑らない程度の摩擦力を作用する事ができ、且つ、前記紐用開口部９を通過できない程度の大きさを有する構造を採用すれば良い。
【００２３】
この様な本例の御守りによれば、前記祈願者の具体的な祈願の内容に対応する事ができて、この祈願者に、より多くの御利益を感じさせる事ができる。
即ち、本例の御守りの場合、前記御守札１ａの祈願表示部材１４に、前記祈願者の具体的な祈願の内容、及び、この祈願に関する情報を記載する事ができる。この為、この御守札１ａを、神前或は仏前に供えて清めたり、祈祷する等する際、前記祈願者の具体的な祈願の内容を、前記御守札１ａに込める事ができる。その結果、前記祈願者はより大きな御利益を感じる事ができる。
又、前記御守札１ａは、前記札用開口部１０を通じて、前記御守袋２ａの内部空間と外部空間との間の往き来（この御守袋２ａからの出し入れ）が可能である。この為、前記祈願者は、最も祈願が込められた前記御守札１ａに直接触れたり、見たりする事ができる。その結果、前記祈願者は、より大きな御利益を感じ、自身のモチベーションを高め、目的達成の為の努力をする事ができる。
【産業上の利用可能性】
【００２４】
本考案の御守りを構成する御守札の構造は、前述した実施の形態の１例の御守札３ａの構造に限定されるものではない。例えば、前記ケース１３を設けず、前記祈願表示部材１４に相当する部材のみで構成する事もできる。又、前記ケース１３の代わりに、前記祈願表示部材１４を透明のフィルム等で覆う、所謂ラミレート加工を施した構造も採用できる。
又、前記御守袋２ａの札用開口部１０は、常に開口している必要はない。即ち、この札用開口部１０にジッパー或はボタン等を設けて、前記御守札３ａを前記御守袋２ａの外部空間に存在させたい場合のみ、前記札用開口部１０を開口させる様な構造を採用する事もできる。
【符号の説明】
【００２５】
１、１ａ  御守り
２、２ａ  御守袋
３、３ａ  御守札
４、４ａ  装飾紐
５  開口部
６  装飾部
７  環状部
８ａ、８ｂ  袋素材
９  紐用開口部
１０  札用開口部
１１  紐飾り
１２  装飾部
１３  ケース
１４  祈願表示部材
１５  ケース本体
１６  蓋部材
１７  凹部
１８  取付部
１９  装飾部
２０  環状部
２１  滑り止め部材
２２  小通孔
２３  通孔
【図１】
0003173377.tif 000003
【図２】
0003173377.tif 000004
【図３】
0003173377.tif 000005
【図４】
0003173377.tif 000006
【図５】
0003173377.tif 000007
【図６】
0003173377.tif 000008